(57)【要約】【課題】Ｐコン穴に、隙間なくかつ迅速に充填剤を充填する。【解決手段】  充填用工具１は、Ｐコン穴を埋めるための工具である。台部１０は、前後方向と直交する断面が前後方向に沿った中心軸Ｃを中心とした円弧状であって、中心軸Ｃに沿って延びており、中心軸Ｃと直交する方向に断面が開口することで充填剤の露出口１１が形成されており、前方向に関する一端に充填剤の押し出し口１２が形成されている。被覆部３０は、中心軸Ｃと直交する断面が中心軸Ｃを中心とした円弧状であって、中心軸Ｃに沿って延びており、前方向に関する一端が開口している。押し出し部材は、台部１０内に収容された充填剤を一方向に押し出す。被覆部３０は、台部１０の露出口１１を被覆するとともに台部１０と接続した被覆状態と、台部１０の露出口１１及び押し出し口１２を開放した開放状態とを選択的に取る。【選択図】図１
2020002645.tif 000002
【特許請求の範囲】
【請求項１】
プラスチックコーン除去後にコンクリートの壁面等に残存する穴を埋めるための一方向に沿って長尺な工具であって、
前記一方向と直交する断面が前記一方向に沿った軸を中心とした円弧状であって、前記軸に沿って延びており、前記軸と直交する方向に前記断面が開口することで充填剤の露出口が形成されており、前記一方向に関する一端に充填剤の押し出し口が形成された台部と、
前記軸と直交する断面が前記軸を中心とした円弧状又は円周状であって、前記軸に沿って延びており、前記一方向に関する一端が開口した被覆部と、
前記台部内に収容された充填剤を一方向に押し出す、押し出し手段とを有し、
前記被覆部が、
前記台部の露出口を被覆するとともに前記台部と接続した被覆状態と、前記台部の露出口及び前記押し出し口を開放した開放状態とを選択的に取ることを特徴とする充填剤の充填用工具。
【請求項２】
前記被覆部が、前記軸と直交する断面が円弧状であり、前記台部と前記被覆部を接触させつつ前記軸を中心として前記台部に対して回転可能であることを特徴とする請求項１に記載の充填剤の充填用工具。
【請求項３】
前記被覆部が前記台部の外側にあって、前記被覆部の外壁に、前記一方向に関して一定間隔の目盛りを有することを特徴とする請求項２に記載の充填剤の充填用工具。
【請求項４】
請求項１〜３のいずれか１項に記載の前記工具を使用した充填剤の充填方法であって、
前記被覆部を前記被覆状態とする被覆工程と、
前記工具を充填剤の入った容器内の充填剤に挿入し、前記工具内に充填剤を収容する充填剤収容工程と、
前記工具を充填剤の入った容器から取り出し、前記被覆部を前記開放状態とする充填剤露出工程と、
前記押し出し手段で前記台部内の充填剤を円柱状に切り取ると共に、前記一方向に沿ってプラスチックコーン穴に押し出すことで、前記プラスチックコーン穴に充填剤を充填する充填剤押し出し工程と、を有することを特徴とする充填剤の充填方法。
【発明の詳細な説明】
【技術分野】
【０００１】
本発明は、充填剤を充填する工具に関する。
【背景技術】
【０００２】
建設現場等で、コンクリートの型枠解体の際、プラスチックコーン（以下、Ｐコンという。）を除去することで生じるいわゆるＰコン穴と呼ばれる円錐台状の穴がコンクリートの壁面に残ってしまうことがある。このＰコン穴内のセパレータネジ端部の錆び止め等のため、例えば、特許文献１のように、モルタル等の充填剤をＰコン穴内に充填する工具が用いられる。
【先行技術文献】
【特許文献】
【０００３】
【特許文献１】特開２０１０−５３５５８号公報
【発明の概要】
【発明が解決しようとする課題】
【０００４】
ところで、Ｐコン穴はコンクリートの壁面に多数存在する。Ｐコン穴へのモルタル等の充填は、熟練の技を持つ左官工が行ったり、特許文献１のようなモルタルを充填した充填箱を用意して作業を行ったりしている。しかし、建設現場等では、職人技に頼ることなく、左官工誰もが迅速に作業を進められて、かつ、なるべく隙間なくＰコン穴内に納まるようにモルタルを充填する必要がある。そのため、作業の迅速さ及び高い作業精度が求められている。
【０００５】
本発明の目的は、コンクリートの壁面に形成されたＰコン穴に、なるべく隙間なくかつ迅速に充填剤を充填することにある。
【課題を解決するための手段】
【０００６】
本発明は、プラスチックコーン除去後にコンクリートの壁面等に残存する穴を埋めるための一方向に沿って長尺な充填剤の充填用工具であって、前記一方向と直交する断面が前記一方向に沿った軸を中心とした円弧状であって、前記軸に沿って延びており、前記軸と直交する方向に前記断面が開口することで充填剤の露出口が形成されており、前記一方向に関する一端に充填剤の押し出し口が形成された台部と、前記軸と直交する断面が前記軸を中心とした円弧状又は円周状であって、前記軸に沿って延びており、前記一方向に関する一端が開口した被覆部と、前記台部内に収容された充填剤を一方向に押し出す、押し出し手段とを有し、前記被覆部が、前記台部の露出口を被覆するとともに前記台部と接続した被覆状態と、前記台部の露出口及び前記押し出し口を開放した開放状態とを選択的に取る。
【０００７】
特許文献１の充填箱を用いると、モルタル等の充填剤は、断面が半楕円状となるように充填される。このため、充填箱から充填剤を押し出すと、楕円柱を半分に分割したような形状で充填剤を押し出すことになる。したがって、円錐台状のＰコン穴と適合した形状ではＰコン穴内に充填剤を移すことができない。これにより、例えば、Ｐコン穴に充填剤を移した後、充填剤がＰコン穴内に隙間なく納まるように充填剤の形状を整える作業が必要となる。これに対し、本発明によると、台部及び被覆部の断面が円弧状又は円周状であるので、被覆部を被覆状態とすると全体が円筒状になる。したがって、この状態で工具内に充填剤を収容すると、充填剤が工具内に円柱状に収容される。その後、被覆部を開放状態とし、台部内の充填剤の一部を、押し出し手段を用いて円柱状に切り取って押し出し口からＰコン穴へと押し出す。これにより、円錐台状のＰコン穴と近い形状である円柱状の状態のままＰコン穴に充填剤を移すことができる。このため、Ｐコン穴内の充填剤の形状を整える作業が短縮される。よって、隙間なくかつ迅速にＰコン穴に充填剤を充填することが可能である。
【０００８】
また、前記被覆部が、前記軸と直交する断面が円弧状であり、前記台部と前記被覆部を接触させつつ前記軸を中心として前記台部に対して回転可能であることが好ましい。これによると、被覆部を回転させて被覆状態から開放状態とすることで充填剤を露出させることができる。よって、充填剤を迅速に露出させやすいので、作業を迅速に進めやすい。
【０００９】
また、前記被覆部が前記台部の外側にあって、前記被覆部の外壁に、前記一方向に関して一定間隔の目盛りを有することが好ましい。これによると、Ｐコン穴に適した充填量に対応するように目盛りの間隔を調整しておくと、目盛りに基づいて充填剤を押し出すことで、１回の押し出しごとに適量の充填剤をＰコン穴へと押し出すことができる。このため、作業を迅速に進めやすい。
【００１０】
本発明の別の観点によると、本発明の充填剤の充填方法は、前記工具を使用した充填剤の充填方法であって、前記被覆部を前記被覆状態とする被覆工程と、前記工具を充填剤の入った容器内の充填剤に挿入し、前記工具内に充填剤を収容する充填剤収容工程と、前記工具を充填剤の入った容器から取り出し、前記被覆部を前記開放状態とする充填剤露出工程と、前記押し出し手段で前記台部内の充填剤を円柱状に切り取ると共に、前記一方向に沿ってプラスチックコーン穴に押し出すことで、前記プラスチックコーン穴に充填剤を充填する充填剤押し出し工程とを有する。
【００１１】
本発明の工具は、台部及び被覆部の断面が円弧状又は円周状であるので、被覆部を被覆状態とすると全体が円筒状になる。したがって、この状態で工具内に充填剤を収容すると、充填剤が工具内に円柱状に収容される。その後、被覆部を開放状態とし、充填剤を露出させる。その後、台部内の充填剤の一部を、押し出し手段を用いて円柱状に切り取って、押し出し口からＰコン穴へと押し出して充填する。これにより、円錐台状のＰコン穴と近い形状である円柱状の状態のままＰコン穴に充填剤を移すことができる。このため、Ｐコン穴内の充填剤の形状を整える作業が短縮される。よって、隙間なくかつ迅速にＰコン穴に充填剤を充填することが可能である。
【図面の簡単な説明】
【００１２】
【図１】本発明の一実施形態に係る、充填剤の露出口を露出させた状態の充填用工具の斜視図である。
【図２】図１の露出口を被覆させた状態の充填用工具の斜視図である。
【図３】（ａ）図１の充填用工具におけるIII（ａ）−III（ａ）線断面図である。（ｂ）図２の充填用工具内に充填剤が収容された場合のIII（ｂ）−III（ｂ）線断面図である。
【図４】図１の充填用工具における充填剤をＰコン穴に押し出す部材である。
【図５】図１の充填用工具における使用に関するフローチャートである。
【図６】図２の充填用工具における、充填剤を本工具内に収容する際の概略図である。
【図７】図１の充填用工具における使用図である。
【発明を実施するための形態】
【００１３】
以下、本発明の一実施形態に係る充填用工具１について、図１〜図４を用いて説明する。充填用工具１は、台部１０、把手部２０、被覆部３０、及び押し出し部材５０（本発明における押し出し手段）を有し、金属で形成されている。なお、以下において、図１に示すように、充填用工具１の長尺方向を前後方向、前後方向と直交する一方向を左右方向、左右方向及び前後方向の両方向と直交する方向を上下方向という。これらの方向は、充填用工具１を用いた充填剤の充填時を想定した方向であり、充填用工具１が常にこれらの方向に従った状態である必要はない。
【００１４】
台部１０は、図１に示すように、前後方向に長尺である。台部１０は、図１及び図３（ａ）に示すように、前後方向と直交する断面が前後方向に沿った中心軸Ｃを中心とした半円の円弧状であり、中心軸Ｃに沿って延びている。この断面は上方に開口して、後述する充填剤６０が露出する露出口１１が形成されている。台部１０の前端に、押し出し口１２が形成されている。
【００１５】
把手部２０は、図１に示すように、前後方向に長尺な円筒である。把手部２０は、台部１０の後端から後方へと延びている。
【００１６】
被覆部３０は、図１に示すように、前後方向に長尺であり、台部１０と前後方向の長さがほぼ同じである。被覆部３０は、台部１０の外側において、台部１０の外周面と接触している。図３（ａ）に示すように、被覆部３０は中心軸Ｃと直交する断面が中心軸Ｃを中心とした半円よりやや大きい円弧状である。この断面の半径は、台部１０の半径と同じかやや大きい。被覆部３０は、中心軸Ｃに沿って延びており、前端が前方に開口している。図２に示すように、被覆部３０の右端部の外周面には、前後方向に一定間隔の目盛り３１が付されている。目盛り３１は、被覆部３０の左端部の外周面に形成されていてもよいし、右端部及び左端部の両方に形成されていてもよいし、形成されていなくともよい。なお、被覆部３０は、前後方向に台部１０より長く、且つ、把手部２０と重なっていてもよい。
【００１７】
図３に示すように、被覆部３０は、台部１０と接触させた状態で、中心軸Ｃを中心として台部１０に対して手動で回転させることができる。これにより、被覆部３０は、露出口１１を開放した図３（ａ）に示す開放状態と、露出口１１を被覆するように台部１０と接続した図３（ｂ）に示す被覆状態とを選択的に取ることができる。台部１０及び被覆部３０の断面が円弧状であるので、被覆部３０を被覆状態とすると、台部１０及び被覆部３０の全体が円筒状になる。なお、開放状態及び被覆状態のいずれにおいても、押し出し口１２が前方に開口している。
【００１８】
図３（ｂ）に示すように、被覆部３０が被覆状態とされた状態において、充填用工具１内には充填剤６０が充填される。充填剤６０としては、Ｐコン穴の充填に適した粘度に調整されたモルタルが使用される。また、モルタルでなくとも、他の充填剤が使用されてもよい。
【００１９】
押し出し部材５０は、図４に示すように、把手部５１、支持部５２、及び押し出し部５３を有する。把手部５１は一方向に長尺な円柱である。把手部５１の長さ方向の一端から、当該長さ方向と直交するように支持部５２が延びている。押し出し部５３は薄い円盤状である。押し出し部５３の半径は、台部１０の内表面に関する前後方向と直交する断面の半径と同じである。押し出し部５３の円盤の円周付近と、支持部５２の把手部５１に固定された側とは反対側の一端とが、押し出し部５３と支持部５２が互いに直交するように固定されている。押し出し部５３は、把手部５１の長さ方向と平行な平面に沿っている。把手部５１、支持部５２、及び押し出し部５３は、互いに直交するように固定されていることで、クランク状に固定されている。
【００２０】
次に、図５を参照しつつ、上述の実施形態に係る充填用工具１の使用方法について説明する。まず、被覆工程Ｓ１において、図２に示すように、被覆部３０を、台部１０の露出口１１を被覆するように、台部１０と接続させる。
【００２１】
次に、充填剤収容工程Ｓ２において、図６に示すように、充填用工具１の押し出し口１２を、充填剤６０の入った容器１００内の充填剤６０に、容器１００の内底面の方向へと深く挿入する。そうすると、図６の矢印に示すように、充填剤６０が押し出し口１２から充填用工具１内に入り込んでくる。これにより、図３（ｂ）に示すように、充填剤６０が充填用工具１内に円柱状に収容される。そして、充填用工具１を容器１００から取り出す。
【００２２】
次に、充填剤露出工程Ｓ３において、被覆部３０を台部１０に接触させつつ、中心軸Ｃを中心として、台部１０に対して回転させて開放状態とする。そうすると、図７に示すように、充填剤６０が露出口１１から露出した状態となる。
【００２３】
次に、充填剤押し出し工程Ｓ４において、図７に示すように、押し出し部材５０の押し出し部５３を被覆部３０の目盛り３１の位置で、下方向に充填剤６０に対して挿入する。そして、押し出し部５３を矢印Ａの方向に沿ってＰコン穴２００へと押し出す。これにより、充填剤６０が円柱状に押し出される。Ｐコン穴２００内には、セパレータネジ３００の一端部が露出している。押し出し部５３によって押し出された充填剤６０は、このセパレータネジ３００の一端部を覆うように、円錐台状のＰコン穴２００内に充填される。なお、図７においては、充填剤６０の押し出す様子を示すため、前後方向に互いに離れているように充填用工具１と壁が記載されているが、実際は充填用具１の押し出し口１２が壁に接触した状態で、充填剤６０が押し出される。
【００２４】
以上説明した実施形態によると、台部１０及び被覆部３０の断面が円弧状であるので、被覆部３０を被覆状態とすると全体が円筒状になる。したがって、この状態で充填用工具１内に充填剤６０を収容すると、充填剤６０が充填用工具１内に円柱状に収容される。その後、被覆部３０を開放状態とし、台部１０内の充填剤６０の一部を、押し出し部材５０を用いて円柱状に切り取って押し出し口１２からＰコン穴２００へと押し出す。これにより、円錐台状のＰコン穴２００と近い形状である円柱状の状態のままＰコン穴２００に充填剤６０を移すことができる。このため、Ｐコン穴２００内の充填剤６０の形状を整える作業が短縮される。よって、隙間なくかつ迅速にＰコン穴２００に充填剤６０を充填することが可能である。
【００２５】
また、被覆部３０が、中心軸Ｃと直交する断面が円弧状であり、台部１０と被覆部３０を接触させつつ中心軸Ｃを中心として台部１０に対して回転可能であることで、被覆部３０を回転させて被覆状態から開放状態とすることで充填剤を露出させることができる。よって、充填剤を迅速に露出させやすいので、作業を迅速に進めやすい。
【００２６】
また、被覆部３０が台部１０の外側にあって、被覆部３０の外壁に、前後方向に関して一定間隔の目盛り３１を有することによって、Ｐコン穴２００に適した充填量に対応するように目盛り３１の間隔を調整しておくと、目盛り３１に基づいて充填剤６０を押し出すことで、１回の押し出しごとに適量の充填剤６０をＰコン穴２００へと押し出すことができる。よって、作業を迅速に進めやすい。
【００２７】
＜変形例＞
以上は、本発明の好適な実施形態についての説明であるが、本発明は上述の実施形態に限られるものではなく、課題を解決するための手段に記載された範囲の限りにおいて様々な変更が可能なものである。
【００２８】
例えば、上述の実施形態では、被覆部３０は中心軸Ｃと直交する断面が中心軸Ｃを中心とした半円よりやや大きい円弧状である。しかし、被覆部３０は、中心軸Ｃと直交する断面が中心軸Ｃを中心とする円周状であってもよい。この場合、被覆部３０を前方向に移動させて台部１０から取り外すことで、露出口１１が開放状態を取るようにする。
【００２９】
上述の実施形態では、被覆部３０が、台部１０と被覆部３０を接触させつつ中心軸Ｃを中心として台部１０に対して回転可能であることで、露出口１１が被覆状態及び開放状態を選択的に取ることができる。しかし、被覆部３０が台部１０の左又は右の端部に蝶番等の接続具を介して接続されており、上方向に被覆部３０を持ち上げることで開放状態を取るようにしてもよい。
【符号の説明】
【００３０】
１  充填用工具
Ｃ  中心軸
１０  台部
１１  露出口
１２  押し出し口
３０  被覆部
５０  押し出し部材
６０  充填剤
２００  Ｐコン穴
【図１】
2020002645.tif 000003
【図２】
2020002645.tif 000004
【図３】
2020002645.tif 000005
【図４】
2020002645.tif 000006
【図５】
2020002645.tif 000007
【図６】
2020002645.tif 000008
【図７】
2020002645.tif 000009
【手続補正書】
【提出日】平成31年4月3日(2019.4.3)
【手続補正１】
【補正対象書類名】特許請求の範囲
【補正対象項目名】請求項１
【補正方法】変更
【補正の内容】
【請求項１】
プラスチックコーン除去後にコンクリートの壁面に残存する穴を埋めるための一方向に沿って長尺な工具であって、
前記一方向と直交する断面が前記一方向に沿った軸を中心とした円弧状であって、前記軸に沿って延びており、前記軸と直交する方向に前記断面が開口することで充填剤の露出口が形成されており、前記一方向に関する一端に充填剤の押し出し口が形成された台部と、
前記軸と直交する断面が前記軸を中心とした円弧状又は円周状であって、前記軸に沿って延びており、前記一方向に関する一端が開口した被覆部と、
前記台部内に収容された充填剤を一方向に押し出す、押し出し手段とを有し、
前記被覆部が、
前記台部の露出口を被覆するとともに前記台部と接続した被覆状態と、前記台部の露出口及び前記押し出し口を開放した開放状態とを選択的に取ることを特徴とする充填剤の充填用工具。
【手続補正２】
【補正対象書類名】明細書
【補正対象項目名】０００６
【補正方法】変更
【補正の内容】
【０００６】
本発明は、プラスチックコーン除去後にコンクリートの壁面に残存する穴を埋めるための一方向に沿って長尺な充填剤の充填用工具であって、前記一方向と直交する断面が前記一方向に沿った軸を中心とした円弧状であって、前記軸に沿って延びており、前記軸と直交する方向に前記断面が開口することで充填剤の露出口が形成されており、前記一方向に関する一端に充填剤の押し出し口が形成された台部と、前記軸と直交する断面が前記軸を中心とした円弧状又は円周状であって、前記軸に沿って延びており、前記一方向に関する一端が開口した被覆部と、前記台部内に収容された充填剤を一方向に押し出す、押し出し手段とを有し、前記被覆部が、前記台部の露出口を被覆するとともに前記台部と接続した被覆状態と、前記台部の露出口及び前記押し出し口を開放した開放状態とを選択的に取る。